(57)【特許請求の範囲】
【請求項１】
コンピュータの記憶手段、又は記憶媒体に記憶されているファイルの内容を示す縮小画像を作成する縮小画像作成手段と、
前記コンピュータの記憶手段、又は記憶媒体に記憶されているファイルに、当該ファイルをテキスト化したテキストデータが付随しているか、当該ファイルの本体をなすデータに、当該ファイルをテキスト化したテキストデータが含まれるか、当該ファイルに前記テキストデータが付随せず、当該ファイルの本体をなすデータにも前記テキストデータが含まれていない状態であるかを判別するファイル状態判別手段と、
前記ファイル状態判別手段によって判別されたファイル状態を表示するファイル状態表示画像を作成する状態表示画像作成手段と、
前記状態表示画像作成手段によって作成されたファイル状態表示画像と、前記縮小画像作成手段によって作成された縮小画像とを１つのサムネイル画像として前記コンピュータの表示手段に表示させる表示制御手段として、
コンピュータを機能させるための画像表示プログラムにおいて、
前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段として、
更にコンピュータを機能させるための画像表示プログラム。
【請求項２】
コンピュータの記憶手段、又は記憶媒体に記憶されているファイルの内容を示す縮小画像を作成する縮小画像作成手段と、
前記コンピュータの記憶手段、又は記憶媒体に記憶されているファイルに、当該ファイルをテキスト化したテキストデータが付随しているか、当該ファイルの本体をなすデータに、当該ファイルをテキスト化したテキストデータが含まれるか、当該ファイルに前記テキストデータが付随せず、当該ファイルの本体をなすデータにも前記テキストデータが含まれていない状態であるかを判別するファイル状態判別手段と、
前記ファイル状態判別手段によって判別されたファイル状態を表示するファイル状態表示画像を作成する状態表示画像作成手段と、
前記状態表示画像作成手段によって作成されたファイル状態表示画像と、前記縮小画像作成手段によって作成された縮小画像とを１つのサムネイル画像として前記コンピュータの表示手段に表示させる表示制御手段と
を備えた画像表示装置において、
前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段と
を備えた画像表示装置。
【発明の詳細な説明】
【技術分野】
【０００１】
本発明は、データ記憶装置や記憶媒体に記憶されているファイルの内容をサムネイル表示によって表示する画像表示プログラム及び画像表示装置に関する。
【背景技術】
【０００２】
従来から、スキャナによって読み取られた原稿の画像データファイルや、各アプリケーションに対応したファイルについて、その内容をサムネイル表示したり、ファイルに関連付けられたアプリケーションを表示したりする画像表示プログラムが提案されている。この画像表示プログラムは、さらに、ＯＣＲ（Optical Character Reader）機能により、画像データ（JPEG形式データ、BMP形式データ等）をテキストデータ化し、このテキストデ
ー
タを検索用データとしてデータベースに保存し、ユーザが指定したキーワードがファイル内に含まれているか否かを検索できるようにするものがある。
【０００３】
また、記憶装置に保存されているファイルをサムネイル表示することで、ファイルの内容をユーザに認識しやすくする文書管理プログラムとしては、特許文献１に示されるように、サムネイル表示するファイルが何枚の原稿からなるか、表示しているサムネイル表示は何枚目の原稿であるかを、サムネイル画像と共に表示するものがある。
【特許文献１】特開２００４−１８５２７８号公報
【発明の開示】
【発明が解決しようとする課題】
【０００４】
しかしながら、上記従来のプログラムの場合、サムネイル表示されている各ファイルが、上記ＯＣＲ機能によりテキスト化されてキーワード検索可能な状態になっているファイルであるか否かまでは表示されない。そのため、ユーザは、サムネイル画像を見ただけでは、当該ファイルをキーワード検索可能な状態にするためにＯＣＲ機能でテキストデータ化すべきなのか、或いは、既にキーワード検索可能な状態となっていて、当該テキストデータ化が不要であるのかを判断することはできなかった。
【０００５】
本発明は、上記の問題を解決するためになされたもので、記憶装置等に記憶されているファイルが、既にテキスト化されてキーワード検索可能な状態となっているか否かをユーザが簡単に把握することができる画像表示プログラム及び画像表示装置を提供することを目的とする。
【課題を解決するための手段】
【０００６】
本発明の請求項１に記載の発明は、コンピュータの記憶手段、又は記憶媒体に記憶されているファイルの内容を示す縮小画像を作成する縮小画像作成手段と、
前記コンピュータの記憶手段、又は記憶媒体に記憶されているファイルに、当該ファイルをテキスト化したテキストデータが付随しているか、当該ファイルの本体をなすデータに、当該ファイルをテキスト化したテキストデータが含まれるか、当該ファイルに前記テキストデータが付随せず、当該ファイルの本体をなすデータにも前記テキストデータが含まれていない状態であるかを判別するファイル状態判別手段と、
前記ファイル状態判別手段によって判別されたファイル状態を表示するファイル状態表示画像を作成する状態表示画像作成手段と、
前記状態表示画像作成手段によって作成されたファイル状態表示画像と、前記縮小画像作成手段によって作成された縮小画像とを１つのサムネイル画像として前記コンピュータの表示手段に表示させる表示制御手段として、コンピュータを機能させるための画像表示
プログラムにおいて、
前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段として、
更にコンピュータを機能させるための画像表示プログラム。
【０００７】
また、請求項３に記載の発明は、コンピュータの記憶手段、又は記憶媒体に記憶されているファイルの内容を示す縮小画像を作成する縮小画像作成手段と、
前記コンピュータの記憶手段、又は記憶媒体に記憶されているファイルに、当該ファイルをテキスト化したテキストデータが付随しているか、当該ファイルの本体をなすデータに、当該ファイルをテキスト化したテキストデータが含まれるか、当該ファイルに前記テキストデータが付随せず、当該ファイルの本体をなすデータにも前記テキストデータが含まれていない状態であるかを判別するファイル状態判別手段と、
前記ファイル状態判別手段によって判別されたファイル状態を表示するファイル状態表示画像を作成する状態表示画像作成手段と、
前記状態表示画像作成手段によって作成されたファイル状態表示画像と、前記縮小画像作成手段によって作成された縮小画像とを１つのサムネイル画像として前記コンピュータの表示手段に表示させる表示制御手段と
を備えた画像表示装置において、
前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段と
を備えた画像表示装置。
【０００８】
これらの構成では、判別手段が、コンピュータの記憶手段、又は記憶媒体に記憶されているファイルに、当該ファイルをテキスト化したテキストデータが付随していること、当該ファイルの本体をなすデータに、当該ファイルをテキスト化したテキストデータが含まれること、当該ファイルにテキストデータが付随せず、当該ファイルの本体をなすデータにもテキストデータが含まれていない状態であることのいずれかを判別した場合には、状態表示画像作成手段が、当該判別された各ファイル状態を表示するファイル状態表示画像を作成する。そして、表示制御手段は、状態表示画像作成手段によって作成されたファイル状態表示画像と、縮小画像作成手段によって作成された縮小画像とを１つのサムネイル画像としてコンピュータの表示手段に表示させる。
【０００９】
また、請求項２に記載の発明は、請求項１に記載の画像表示プログラムであって、前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段として、
更にコンピュータを機能させるためのものである。
【００１０】
また、請求項４に記載の発明は、請求項３に記載の画像表示装置であって、前記ファイルの本体をなすデータに含まれるテキストデータ、又は前記ファイルに付随するテキストデータが、操作者によって指定されたキーワードを含むか否かを検索するキーワード検索手段と、
前記キーワード検索手段による検索の対象とならないファイルを検出する非検索ファイル検出手段と、
前記キーワード検索手段によって前記キーワードを含むとして検索されたファイルを表示する検索結果表示制御手段と、
前記非検索ファイル検出手段によって検出された検出結果を表示する検出結果表示制御手段と
を備えたものである。
【００１１】
これらの構成では、キーワード検索手段によってキーワードを含むとして検索されたファイルを検索結果表示制御手段が表示し、非検索ファイル検出手段によって検出された検出結果を検出結果表示制御手段が表示することで、ユーザが、キーワードを含むファイルを知ることができると共に、記憶手段又は記憶媒体に記憶されているどのファイルが上記検索の対象とならなかったかを知ることができるようにしている。
【発明の効果】
【００１２】
請求項１及び請求項３に記載の発明によれば、各ファイルに、当該ファイルをテキスト化したテキストデータが付随していること、当該ファイルの本体をなすデータに、当該ファイルをテキスト化したテキストデータが含まれること、当該ファイルにテキストデータが付随せず、当該ファイルの本体をなすデータにもテキストデータが含まれていないことを示すファイル状態表示画像が、当該ファイルの内容を示す縮小画像と共に、サムネイル画像として表示されるので、ユーザは、サムネイル画像を見れば、ファイルの状態が、上記各状態のいずれであるかを瞬時に把握することができる。すなわち、ファイルの本体データにテキストデータが含まれていて元々キーワード検索が可能なファイル形式であるのか、ファイルの本体データは本来キーワード検索不可能であるが、ＯＣＲ処理等の後処理によりテキストデータが付随されてキーワード検索が可能になったものか、までをユーザが把握することができる。
【００１３】
請求項２及び請求項４に記載の発明によれば、ユーザは、キーワードを含むファイルを把握することができると共に、記憶手段又は記憶媒体に記憶されているどのファイルが上記検索の対象とならなかったかを把握することができる。
【発明を実施するための最良の形態】
【００１４】
以下、本発明に係る画像表示プログラム及び画像表示装置の一実施形態について図面を参照して説明する。本発明に係る画像表示プログラムは、コンピュータに備えられるＨＤＤ（ハードディスク）等の記憶装置にインストールされることによって、当該コンピュータを画像表示装置として機能させるものである。
【００１５】
図１は本発明に係る画像表示装置の概略構成を示すブロック図である。図１に示す画像表示装置１は、パーソナルコンピュータ等から構成される。画像表示装置１は、装置全体の動作制御を司るＣＰＵ２を備え、このＣＰＵ２には、内部バスによって入力装置３，ＲＯＭ４，ＲＡＭ５，記憶装置６，ディスプレイ７、記憶媒体読取装置８及びスキャナ１０が接続されている。これら各部はＣＰＵ２の制御の下、内部バスを介して各種データが各部間で入出力され、各種処理が実行される。
【００１６】
入力装置３はキーボードやマウス等から構成され、ユーザによって各種の操作指示等が入力される。ＲＯＭ４には、装置全体の動作制御用のシステムプログラム等が記憶されている。記憶装置（記憶手段）６はハードディスクドライブ等から構成され、本発明に係る画像表示プログラムや、保存対象となる各種ファイル等が記憶される。ＣＰＵ２は、記憶装置６から画像表示プログラム等を読み出し、その処理を実行して、後述の図２に示す各部としての動作を実行・制御する。また、ＲＡＭ５はＣＰＵ２の作業領域として用いられる。ディスプレイ（表示手段）７はＣＲＴ又は液晶表示装置等からなり、ＣＰＵ２による制御で各種画面を表示する。
【００１７】
上記画像表示プログラムは、ＣＤ−ＲＯＭ、ＦＤ等の記憶媒体９から、ディスクドライブ等で構成される記憶媒体読取装置８により記憶装置６に記録するようにしてもよい。また、当該画像表示装置１がネットワークを介して他のコンピュータ等に接続されている場合には、当該他のコンピュータ等からネットワークを介して画像表示プログラム等をダウンロードしてもよい。スキャナ１０は、原稿上の画像を読み取って電子データに変換し、
画像データとして保存可能な状態にするものである。
【００１８】
次に、上記のように構成された画像表示装置１の主要な機能について説明する。図２は画像表示装置１の主要機能を示すブロック図である。図２に示すように、画像表示装置１では、記憶装置６に記憶されている画像表示プログラムに従って、ＣＰＵ２がプログラム実行部として機能する。記憶装置６に記憶されているPDF形式，JPEG形式等の画像データ
や、各種アプリケーションに対応した文書形式のデータ（以下、文書データという）が読み出しの対象となる。なお、読み出しの対象となるデータは記憶媒体９に記憶されているものであってもよい。
【００１９】
ＣＰＵ２は、記憶装置６内の画像表示プログラムの指示に基づいて、縮小画像作成部２１と、判別部２２と、表示画像作成部２３と、表示制御部２４と、指示受付部２５と、制御部２６と、状態情報付加部２７と、キーワード検索部２８と、非検索ファイル検出部２９と、ＯＣＲ部３０として機能する。
【００２０】
縮小画像作成部（縮小画像作成手段）２１は、記憶媒体９又は記憶装置６に記憶されているファイル（文書データ，画像データ等）を読み出して、各ファイルの内容を表す縮小画像を作成する。なお、各ファイルに付随するプロパティ情報（当該ファイルのファイル名称、当該ファイルを開くために用いるアプリケーションの種類等の情報）を読み出して、縮小画像にこれらの情報を反映させることが更に好ましい。
【００２１】
判別部（判別手段、ファイル状態判別手段）２２は、記憶装置６又は記憶媒体９に記憶されているファイルに、当該ファイルをテキスト化したテキストデータが付随しているか否かを判別するものである。また、判別部２２は、記憶装置６又は記憶媒体９に記憶されているファイルに、(1)当該ファイルの本体をなすデータ（以下、本体データという）に
、当該ファイルをテキスト化したテキストデータが含まれるか、(2)当該ファイルにテキ
ストデータが付随せず、当該ファイルをテキスト化したテキストデータが含まれていない状態であるかまでを判別する。例えば、ファイルのデータ形式がPDF形式のデータや、ワ
ードプロセッサ・アプリケーション用のデータ等であった場合には、ファイルの本体データにテキストデータが含まれていることがあるので、(1)はそのような状態を判別しよう
とするものである。
【００２２】
表示画像作成部（表示画像作成手段、状態表示画像作成手段）２３は、判別部２２によってファイルにテキストデータが付随していると判別された場合に、テキストデータが付随していることを示す表示画像（サムネイル画像の一部となるデータサイズの小さな画像）を作成する。さらに、表示画像作成部２３は、判別部２２によって判別された、(1)フ
ァイルにテキストデータが付随している、(2)ファイルの本体データに上記テキストデー
タが含まれる、(3)当該ファイルにテキストデータが付随せず、当該ファイルの本体デー
タにもテキストデータが含まれていない状態である、といった各状態を表示するファイル状態表示画像（サムネイル画像の一部となるデータサイズの小さな画像）も作成する。なお、これらの表示画像は、画像表示プログラム中のサンプル画像データを用いて作成される。
【００２３】
表示制御部（表示制御手段、検索結果表示制御手段、検出結果表示制御手段）２４は、判別部２２によってファイルにテキストデータが付随していると判別された場合は、縮小画像作成部２１によって作成された上記縮小画像と、表示画像作成部２３によって作成された上記表示画像とを１つのサムネイル画像としてディスプレイ７に表示する。また、表示制御部２４は、判別部２２によってファイルに上記テキストデータが付随していないと判別された場合には、縮小画像作成部２１によって作成された縮小画像をサムネイル画像として表示する。
【００２４】
さらに、表示制御部２４は、表示画像作成部２３によってファイル状態表示画像が作成されている場合には、このファイル状態表示画像と、縮小画像作成部２１によって作成された縮小画像とを１つのサムネイル画像としてディスプレイ７に表示させる。
【００２５】
また、表示制御部２４は、後述するキーワード検索部２８によって、操作者により指定されたキーワードが含まれるとして検索されたファイルのサムネイル画像を一覧表示し、さらには、非検索ファイル検出部２９によって検出された、検索対象とならなかったファイルのサムネイル画像を一覧表示する。
【００２６】
指示受付部２５は、操作者による入力装置３（マウスポインタ等）の操作に基づく指示を受け付けるものであり、本実施形態では、サムネイル画像の一部分、すなわち、縮小画像部分又は表示画像部分のいずれが指定されたかの指示や、キーワード検索部２８によるキーワード検索実行時のユーザ所望のキーワード入力を受け付ける。
【００２７】
制御部（制御手段）２６は、表示制御部２４によってディスプレイ７に表示されているサムネイル画像のうち、表示画像部分が指示受付部２５によって指定された場合に、当該ファイルに付随するテキストデータの内容を表示させ、縮小画像部分が指示受付部２５によって指定された場合には、当該ファイル本体をなすデータの内容を表示させる等の制御を行うものである。
【００２８】
状態情報付加部（状態情報付加手段）２７は、判別部２２によってファイルにテキストデータが付随していると判別された場合や、ファイルの実体データテキストファイルが含まれると判別された場合に、当該ファイルのプロパティ情報又はファイル名称情報に、当該ファイルにテキストデータが付随又は含まれることを示す情報を付加する。
【００２９】
キーワード検索部（キーワード検索手段）２８は、ファイル本体に含まれるテキストデータ、又はファイルに付随するテキストデータに、操作者によって入力装置３から入力されたキーワードが含まれるか否かを検索するものである。
【００３０】
非検索ファイル検出部（非検索ファイル検出手段）２９は、キーワード検索部２８による検索の対象とならなかったファイルを検出するものである。
【００３１】
また、ＯＣＲ（OpticalCharacterReader）部３０は、スキャナ１０により画像として読み取られたデータ等に含まれる文字を解析して、テキストの文字データ（テキストデータ）に変換するものである。ＯＣＲ部３０は、当該変換したテキストデータを、変換元のファイルに付加したり、変換元のファイルが記憶されている領域とは別の記憶領域に、変換後のテキストデータを変換元のファイルに関連付けて記憶させる。
【００３２】
記憶装置６等に記憶されているファイルのサムネイル画像を作成する処理について説明する。図３は記憶装置６等に記憶されているファイルのサムネイル画像を作成する処理を示すフローチャート、図４（ａ）はディスプレイ７にファイル一覧をサムネイルで表示した状態を示す図、（ｂ）はサムネイル画像の拡大図である。このサムネイル画像は、記憶装置６等に記憶されているファイルを一覧表示する際に、各ファイルの内容を小さいファイルサイズで表示したものである。本実施形態では、サムネイル画像は、例えば、ファイルの内容を縮小して表示した縮小画像からなるものであり、ファイルにテキストデータが付随している場合には、当該ファイルにテキストデータが付随していることを示す表示画像とからなる。
【００３３】
サムネイル画像の作成処理を行う場合、縮小画像作成部２１が、記憶装置６等に記憶さ
れているファイルのデータを読み出す（Ｓ１）。このとき、ファイルが複数ページからなるときは第１ページのデータを読み出す。縮小画像作成部２１は、読み出したデータが示す画像を所定サイズに縮小して縮小画像を作成する（Ｓ２）。判別部２２は、当該サムネイル画像の作成対象となっているファイルに、テキストデータ（例えば、ＯＣＲ部３０が変換したもの等）が付随しているか否かを判断する（Ｓ３）。この判別部２２によるテキストデータが付随しているか否かの判断は、当該ファイルに実際にテキストデータが付随しているか否かで判断してもよいし、ファイルにテキストデータの有無を示す情報が付随しているか否かで判断してもよい。例えば、当該ファイルのプロパティ情報が、ファイルにテキストデータの有無を示す情報を含むか否かで判断してもよい。
【００３４】
ここで、当該ファイルにテキストデータが付随している場合は（Ｓ３でＹＥＳ）、表示画像作成部２３は、当該ファイルにテキストデータが付随していることを示す表示画像を作成する（Ｓ４）。表示制御部２４は、作成された縮小画像のデータと、表示画像が作成されている場合は表示画像のデータとを、サムネイル画像のデータとしてＲＡＭ５（画像メモリ）におき（Ｓ５）、当該サムネイル画像をディスプレイ７に表示させる（Ｓ６）。以上の処理は、記録装置６等に記録されている各ファイルについて行う。
【００３５】
このようにして、表示制御部２４は、図４（ａ）に示すように、記憶装置６に記憶されている各ファイルをサムネイル画像で表示する。例えば、ＯＣＲ部３０が変換したテキストデータが付随しているファイルは、図４（ｂ）に示すように、ＯＣＲ処理済みであってテキストデータが付随していることを示す表示画像が、サムネイル画像の一部として表示される。なお、図４（ｂ）では、テキストデータが付随することを、「ＯＣＲ」の文字を示す表示画像によりユーザに認識させるようにしている。
【００３６】
次に、ユーザによる入力装置３の操作で上記サムネイル画像のどの部分が指定されるかに応じて表示内容を異ならせる処理について説明する。図５は当該処理を示すフローチャートである。アイコンとして表示されているサムネイル画像が、ユーザによる入力装置３の操作、例えば、マウスポインタのダブルクリック操作がされると、ダブルクリックされたファイルのデータを、関連付けられているアプリケーションを起動して開くようにするが、本発明に係る画像表示プログラム及び画像表示装置は、サムネイル画像のどの部分が指定されるかに応じて、起動するアプリケーションを異ならせて、表示するデータの内容を異ならせるようになっている。
【００３７】
ユーザによるマウスポインタのダブルクリック操作でサムネイル画像が指定され、その指示が受け付けられると、当該操作によってサムネイル画像のどの部分が指定されたかが、制御部２６によって判断される（Ｓ１１）。当該サムネイル画像の、ファイルの本体データの内容を示す縮小画像部分が指定された場合は（Ｓ１１で縮小画像）、制御部２６は、ファイルの本体データに関連付けられているアプリケーションを起動し（Ｓ１２）、当該アプリケーションを用いてファイルの本体データを開く（Ｓ１３）。
【００３８】
また、サムネイル画像の、テキストデータが付随することを示す表示画像部分が指定された場合は（Ｓ１１で表示画像）、制御部２６は、当該テキストデータに関連付けられているアプリケーションを起動し（Ｓ１４）、当該アプリケーションを用いて、付随のテキストデータを開くようにする（Ｓ１５）。
【００３９】
これにより、ユーザが、入力装置３によってサムネイル画像のどの部分を指定するかによって、ファイル本体データを開けるか、テキストデータを開けるか、を選択することができる。例えば、表示画像部分を指定すれば、簡単な操作でテキストデータを直接開くことができ、当該テキストデータに迅速にアクセスすることができる。
【００４０】
次に、ファイルにテキストデータが付随している場合に、テキストデータが付随することを示す情報を、当該ファイルに持たせる処理について説明する。図６は当該処理を示すフローチャートである。なお、上記図３で示した処理と同様の処理は同符号を付して説明を省略する。
【００４１】
記憶装置６等に記憶されているファイルにテキストデータが付随している場合、この状態を示すために、上述した表示画像の作成と共に、テキストデータが付随することを示す情報を当該ファイルのプロパティ情報に付加するようにしてもよい。この場合、図６に示すように、判別部２２によって、ファイルにテキストデータが付随すると判別された場合（Ｓ３でＹＥＳ）、表示画像の作成（Ｓ４）と共に、状態情報付加部２７が、当該ファイルのプロパティ情報に、当該ファイルにテキストデータが付随することを示す情報を含ませる（Ｓ２１）。なお、このＳ２１の処理では、状態情報付加部２７が、当該ファイルの名称として、テキストデータが付随することを示すメッセージ（「ＯＣＲ処理済み」の文字等）を含む新たなファイル名称を作成するようにしてもよい。
【００４２】
なお、上記では、ファイルにテキストデータが付随している場合、表示画像の作成（Ｓ２１）と共に、テキストデータが付随することを示す情報を当該ファイルのプロパティ情報に付加するようにしているが、この表示画像作成処理（Ｓ２１）を行わず、テキストデータが付随することを示す情報を当該ファイルのプロパティ情報に付加する処理のみを行うようにしてもよい。
【００４３】
次に、サムネイル画像作成処理の第２実施形態を説明する。図７は当該処理を示すフローチャート、図８（ａ）はファイルにテキストデータが付随することを示す表示画像を有するサムネイル画像を示す図、（ｂ）はテキストデータが付随せず、ファイルの本体データにもテキストデータが含まれていないことを示す表示画像を有するサムネイル画像を示す図、（ｃ）はファイルの本体データにテキストデータが含まれることを示す表示画像を有するサムネイル画像を示す図である。なお、上記図３及び図６で示した処理と同様の処理は同符号を付して説明を省略する。
【００４４】
第２実施形態に係るサムネイル画像作成処理では、記憶装置６等に記憶されているファイルが、どのような形式でキーワード検索可能な状態とされているかを表す状態表示画像を含む、サムネイル画像を作成する。この処理では、判別部２２が、記憶装置６等に記憶されている各ファイルが、どのような形式でキーワード検索可能な状態となっているかを判別し、表示画像作成部２３が、このそれぞれの判別結果を表す状態表示画像を作成し、表示制御部２４が、この状態表示画像と上記縮小画像とをサムネイル画像としてディスプレイ７に表示させるようになっている。
【００４５】
例えば、図７に示すように、判別部２２は、(1)ファイルにテキストデータが付随して
いる、(2)当該ファイルの本体データ自体がテキストデータを含む、 (3)当該ファイルに
テキストデータが付随せず、当該ファイルの本体データにもテキストデータが含まれていない、の各状態を判別する（Ｓ３１）。そして、この判別結果に基づいて表示画像作成部２３が、上記(1)(2)(3)の各々の内容を示すそれぞれのファイル状態表示画像を作成する
（Ｓ３３，Ｓ３４，Ｓ３５）。この後、状態情報付加部２７が、当該ファイルのプロパティ情報に、当該ファイル状態を示す情報を含ませる（Ｓ２１）。
【００４６】
そして、表示制御部２４は、縮小画像のデータと、上記ファイル状態表示画像のデータとをＲＡＭ５（画像メモリ）におき（Ｓ５）、８（ａ）（ｂ）（ｃ）のように、これらファイル状態表示画像及び縮小画像からなるサムネイル画像をディスプレイ７に表示させる（Ｓ６）。
【００４７】
このようにすれば、記憶装置６等に記憶されているファイルが、キーワード検索可能な状態となっているかに加えて、ファイルの本体データ自体が検索可能なものであるのかまでをユーザが認識できる。すなわち、ファイルの本体データにテキストデータが含まれていて元々キーワード検索が可能なファイル形式であるのか、ファイルの本体データは本来キーワード検索不可能であるが、ＯＣＲ部３０によるＯＣＲ処理でテキストデータが付随されてキーワード検索が可能になったものか、までをユーザが把握することができる。
【００４８】
なお、上記では、Ｓ３３，Ｓ３４，Ｓ３５の処理後、状態情報付加部２７が、当該ファイルのプロパティ情報に、当該ファイルにテキストデータが付随すること等を示す情報を含ませるようにしているが（Ｓ２１）、この処理を行わないようにすることも可能である。また、このＳ２１の処理に代えて、ファイル名称に上記ファイル状態情報を含ませる処理を行うようにしてもよい。
【００４９】
次に、記憶装置６等に記憶されているファイルが、ユーザ指定のキーワードを含むか否かを検索する場合の処理について説明する。図９は当該キーワード検索処理を示すフローチャート、図１０はキーワード検索の結果を表示する表示画面の例を示す図である。
【００５０】
ユーザによる入力装置３の操作により検索対象とするキーワードが入力され、指示受付部２５に検索指示及び当該キーワードが受け付けられると（Ｓ５１でＹＥＳ）、キーワード検索部２８が、記憶装置６又は記憶媒体９に記憶されている各ファイルに当該キーワードが含まれているか否かを検索する（Ｓ５２）。
【００５１】
そして、キーワード検索部２８によって、上記ユーザによって入力されたキーワードを含むファイルを検出する（Ｓ５３）。このキーワード検索部２８による検索を行った場合、記憶装置６等に記憶されているファイルにテキストデータが付随するか、ファイルの本体データにテキストデータが含まれていないとキーワードを検出できないが、非検索ファイル検出部２９は、検索対象としたファイル群から、テキストデータを含まず検索対象にならなかったファイルも検出する（Ｓ５４）。
【００５２】
そして、表示制御部２４が、上記キーワードを含むファイルの各サムネイル画像と、検索対象とならなかったファイルの各サムネイル画像とを、図１０に示すように、ディスプレイ７に一覧表示させる（Ｓ５５）。
【００５３】
これにより、キーワードを含むファイルと共に、検索対象にならなかったファイルがディスプレイ７に表示されるので、全てのファイルをキーワード検索の対象として出た結果であるのか、キーワード検索の対象にならなかったファイルがある状況での検索結果なのかをユーザが把握することができる。
【００５４】
また、図７のサムネイル表示処理を経た上で、上記図９のキーワード検索処理を行うようにすれば、キーワード検索の対象となるファイルと、キーワード検索の対象にならないファイルとが記憶装置６等混在して記憶されている場合には、サムネイル表示に基づいて、各ファイルが、ＯＣＲ処理をしていないためにキーワード検索の対象とならなかったのか、景色等が撮影された画像からなるJPEG形式データ等のように、キーワード検索がそもそも不可能であるのかまでを、ユーザが把握することができる。
【００５５】
なお、本発明は上記実施の形態の構成に限られず種々の変形が可能である。例えば、上記実施形態では、本発明に係る画像表示プログラムをパーソナルコンピュータにインストールして画像表示装置として用いる形態を示しているが、当該画像表示プログラムをインストール可能な機器であれば、他の機器を本発明に係る画像表示装置として用いることも可能である。
【００５６】
また、上記図１乃至図１０で示した構成及び処理等は、あくまでも一例であり、本発明は上記に示した構成及び処理に限定されるものではない。
【図面の簡単な説明】
【００５７】
【図１】本発明に係る画像表示装置の概略構成を示すブロック図である。
【図２】画像表示装置１の主要機能を示すブロック図である。
【図３】記憶装置等に記憶されているファイルのサムネイル画像を作成する処理を示すフローチャートである。
【図４】（ａ）はディスプレイにファイル一覧をサムネイルで表示した状態を示す図、（ｂ）はサムネイル画像の拡大図である。
【図５】ユーザによる入力装置の操作でサムネイル画像のどの部分が指定されるかに応じて、表示内容を異ならせる処理を示すフローチャートである。
【図６】テキストデータが付随することを示す情報をファイルに持たせる処理を示すフローチャートである。
【図７】サムネイル画像作成処理の第２実施形態を示すフローチャートである。
【図８】（ａ）はファイルにテキストデータが付随することを示す表示画像を有するサムネイル画像を示す図、（ｂ）はテキストデータが付随せず、ファイルの本体データにもテキストデータが含まれていないことを示す表示画像を有するサムネイル画像を示す図、（ｃ）はファイルの本体データにテキストデータが含まれることを示す表示画像を有するサムネイル画像を示す図である。
【図９】キーワード検索処理を示すフローチャートである。
【図１０】キーワード検索の結果を表示する表示画面の例を示す図である。
【符号の説明】
【００５８】
１    画像表示装置
６    記録装置
７    ディスプレイ
９    記憶媒体
１０  スキャナ
２１  縮小画像作成部
２２  判別部
２３  表示画像作成部
２４  表示制御部
２５  指示受付部
２６  制御部
２７  状態情報付加部
２８  キーワード検索部
２９  非検索ファイル検出部
３０  ＯＣＲ部
３４  表示制御部
【図１】
0004960401.tif 000002
【図２】
0004960401.tif 000003
【図３】
0004960401.tif 000004
【図４】
0004960401.tif 000005
【図５】
0004960401.tif 000006
【図６】
0004960401.tif 000007
【図７】
0004960401.tif 000008
【図８】
0004960401.tif 000009
【図９】
0004960401.tif 000010
【図１０】
0004960401.tif 000011